(57)【要約】【課題】装着者の耳に負担をかけることなく、イヤリングを固定可能な適度な挟持力を有し、繰り返しの開閉動作を行っても挟持力を長期間変化させずに保持することができるイヤリングを提供することを課題とする。【解決手段】接続凸部１１を有する第１の装飾部１と、前記接続凸部１１に回動可能に接続される接続凹部２１を有する第２の装飾部２と、前記接続凸部１１と前記接続凹部２１との間に介装される複数の平座金３と、前記接続凸部１１と前記接続凹部２１とを前記平座金３とともに加締めて接続可能な軸部４と、を備え、前記平座金３の外縁部３１には突部３２が設けられ、前記接続凸部１１と前記接続凹部２１とには、それぞれ前記突部３２が嵌入可能な溝部１４、２３が設けられているイヤリングＥとする。【選択図】図１
2020188964.tif 000002
【特許請求の範囲】
【請求項１】
接続凸部を有する第１の装飾部と、
前記接続凸部に回動可能に接続される接続凹部を有する第２の装飾部と、
前記接続凸部と前記接続凹部との間に介装される複数の平座金と、
前記接続凸部と前記接続凹部とを前記平座金とともにかしめて接続可能な軸部と、を備え、
前記平座金の外縁部には突部が設けられ、
前記接続凸部と前記接続凹部とには、それぞれ前記突部が嵌入可能な溝部が設けられている、イヤリング。
【請求項２】
前記接続凸部の突出部は、その突出部の肉厚方向内側に向けてくびれた形状に形成されている、請求項１に記載のイヤリング。
【請求項３】
前記突部は、少なくとも２つの前記平座金に設けられている、請求項１または請求項２に記載のイヤリング。
【請求項４】
前記接続凸部と前記接続凹部に設けられる前記溝部は、前記接続凸部と前記接続凹部の接続状態においてそれぞれ前記接続凸部の突出部両側に１つずつ設けられ、
前記平座金は、前記突部がそれぞれの前記溝部に嵌入するように４つ設けられている、請求項１〜３の何れかに記載のイヤリング。
【請求項５】
前記平座金と接する前記接続凸部の側面と、前記平座金と接する前記接続凹部の側面とは、前記平座金よりも大きく形成されている、請求項１〜４の何れかに記載のイヤリング。
【請求項６】
前記第１の装飾部と前記第２の装飾部とは、端部に装着者の耳に当接される耳当て部を有し、
前記耳当て部は、扁平に形成され滑り止めを有している、請求項１〜５の何れかに記載のイヤリング。
【発明の詳細な説明】
【技術分野】
【０００１】
本発明は、装着者の耳に挟持して使用するイヤリングに関するものである。
【背景技術】
【０００２】
イヤーカフやイヤーチャーム等の装着者の耳に挟持するイヤリング（クリップ式のイヤリング）においては、イヤリングが落ちることなく、かつ装着者が長時間痛みを感じずに使用できる適度な挟持力を有していることが求められる。
【０００３】
また、この適度な挟持力に加えて、イヤリングの開閉が滑らかであることも求められる。さらに、繰り返し開閉動作を行ってもその挟持力が変化しないことも重要である。すなわち、装着者の耳に負担をかけることなく、イヤリングを固定可能な適度な挟持力と、その挟持力を長期間変化させることなく保つ保持力の両方を併せ持つことが理想とされている。
【０００４】
そこで、開閉を行う回動部分に金属薄板（ワッシャー）を挟んだイヤリングの技術が提案されている。例えば特許文献１には、一方の主装飾体と他方の挟着部材とにそれぞれ形成された取付脚部と取付基部とが相対的に回動する際、その間に介装した一対の取付脚部の輪郭内に収容される面積の金属板材にかかる負荷が、前記取付基部の幅方向の端縁との係合部分にかかって大きな挟着力が得られ、長い期間の使用に耐えられるイヤリングの技術が記載されている。
【０００５】
また、特許文献２には、金属薄板の外縁部を多角形状に形成し、かつ当該金属薄板の一面を膨出させてアール面を形成し、前記金属薄板に形成した前記軸部の軸穴の膨出側にバリ部を有し、一対の金属薄板のバリ部同士を当接させて一対の金属薄板に負荷を与えるイヤリングの技術が記載されている。
【先行技術文献】
【特許文献】
【０００６】
【特許文献１】特許４５９２１１６号公報
【特許文献２】特許５４６１４５６号公報
【発明の概要】
【発明が解決しようとする課題】
【０００７】
しかしながら、特許文献１に記載のイヤリングは、軟質材で形成された取付基部等がステンレスで形成された円形金属板と擦れ合って摩耗するため、挟持力の低下を起こす、すなわち、繰り返しの開閉により挟持力が低下する問題があった。
【０００８】
また、特許文献２に記載のイヤリングは、アール面やバリ部が形成された金属薄版同士を当接させて金属薄版に負荷を与えることで大きな挟持力を発生させることが可能であるが、アール面やバリ部同士が擦れることによる摩擦が原因となり開閉動作が固く、装着者の耳に挟持する際に大きな衝撃を及ぼす問題があった。
【０００９】
本発明は、以上のような点を考慮してなされたものであり、装着者の耳に負担をかけることなく、イヤリングを固定可能な適度な挟持力を有するイヤリングを提供することを課題とする。
また、本発明は、繰り返しの開閉動作を行っても挟持力を長期間変化させずに保持することができるイヤリングを提供することを課題とする。
【課題を解決するための手段】
【００１０】
上記課題を解決するため、本発明では以下の手段を採用した。
本発明の一実施形態に係るイヤリングは、接続凸部を有する第１の装飾部と、前記接続凸部に回動可能に接続される接続凹部を有する第２の装飾部と、前記接続凸部と前記接続凹部との間に介装される複数の平座金と、前記接続凸部と前記接続凹部とを前記平座金とともにかしめて接続可能な軸部と、を備え、前記平座金の外縁部には突部が設けられ、前記接続凸部と前記接続凹部とには、それぞれ前記突部が嵌入可能な溝部が設けられている。
【００１１】
本発明に係るイヤリングによれば、突部を有する平座金が接続凸部と接続凹部との間に介装され、さらにその突部が記接続凸部と前記接続凹部に設けられている溝部に嵌入することにより、一つ一つの平座金は固定され、平座金の空回りや無駄な動き、平座金が動かないこと等を抑制し、イヤリングの滑らかな開閉動作を実現することができる。すなわち、開閉動作に合わせて平座金が単独で自由に動くことなく常に一定の挙動に保つことができるため、調整された滑らかな動作と適当な挟持力を長期間に亘って保持することができる。
【００１２】
本発明の好ましい形態では、前記接続凸部の突出部は、その突出部の肉厚方向内側に向けてくびれた形状に形成されている。
このように、突出部を肉厚方向にくびれた形状にすることにより、イヤリングの回動に合わせて平座金と突出部が当接する当接面の面積が変わるため、当接面積が小さくなる時により大きな挟持力を発揮することができる。
【００１３】
本発明の好ましい形態では、前記突部は、少なくとも２つの前記平座金に設けられている。
このように、少なくとも２つの平座金に突部が設けられていることにより、安定したイヤリングの開閉挙動を維持することができる。
【００１４】
本発明の好ましい形態では、前記接続凸部と前記接続凹部に設けられる前記溝部は、前記接続凸部と前記接続凹部の接続状態においてそれぞれ前記接続凸部の突出部両側に１つずつ設けられ、前記平座金は、前記突部がそれぞれの前記溝部に嵌入するように４つ設けられている。
このように、平座金を固定する溝部を接続凹部と接続凸部のそれぞれに２つずつの４つ設けることにより、固定された平座金同士が接続凹部と接続凸部の回動に合わせて常に一定に挙動するため、平座金や平座金に当接する部分の摩耗が少なく、滑らかな動作が可能となる。
【００１５】
本発明の好ましい形態では、前記平座金と接する前記接続凸部の側面と、前記平座金と接する前記接続凹部の側面とは、前記平座金よりも大きく形成されている。
このように、平座金に当接する側面を大きく形成することにより、回動によって平座金が表に露出することを防止することができる。
【００１６】
本発明の好ましい形態では、前記第１の装飾部と前記第２の装飾部とは、端部に装着者の耳に当接される耳当て部を有し、前記耳当て部は、扁平に形成され滑り止めを有している。
このように、耳当て部を扁平に形成するにより装着者の耳の形状によらず、安定して挟持することができ、さらに滑り止めを設けることにより、イヤリングが引っ張られること等による脱落等を防止することができる。
【発明の効果】
【００１７】
開示した技術によれば、装着者の耳に負担をかけることなく、イヤリングを固定可能な適度な挟持力を有し、繰り返しの開閉動作を行っても挟持力を長期間変化させずに保持することができるイヤリングを提供することができる。
【００１８】
他の課題、特徴及び利点は、図面及び特許請求の範囲とともに取り上げられる際に、以下に記載される発明を実施するための形態を読むことにより明らかになるであろう。
【図面の簡単な説明】
【００１９】
【図１】本発明の一実施形態に係るイヤリングの斜視図である。
【図２】本発明の一実施形態に係るイヤリングを装着した様子を示す説明図である。
【図３】本発明の一実施形態に係るイヤリングの接続部分の分解断面図である。
【図４】本発明の一実施形態に係るイヤリングの接続部分の断面図である。
【図５】本発明の一実施形態に係る平座金の平面図である。
【図６】本発明の一実施形態に係るイヤリングの分解斜視図である。
【発明を実施するための形態】
【００２０】
以下、本発明を図面に示した好ましい一実施形態に係るイヤリングについて、図１〜図６を参照して詳細に説明する。本発明の技術的範囲は、添付図面に示した実施形態に限定されるものではなく、特許請求の範囲に記載された範囲内において、適宜変更が可能である。
【００２１】
以下、本発明の一実施形態であるイヤリングＥについて詳細に説明する。
図１〜図４は本実施形態に係るイヤリングＥの構成を説明する図である。図１は、イヤリングＥの斜視図を示し、図２は装着者ＳがイヤリングＥを装着した状態を示す説明図である。また、図３は本実施形態にかかるイヤリングＥの接続部分の分解断面図を示し、図４は図３を組み合わせた状態の断面図を示す。
【００２２】
なお、本明細書においてはイヤリングＥを装着する装着者と装着者の耳をまとめて符号Ｓとして説明する。
【００２３】
本発明に係るイヤリングＥは、図１および図３に示すように、第１の装飾部１と、第１の装飾部１に回動可能に接続される第２の装飾部２と、第１の装飾部１と第２の装飾部２とを接続する接続部分に設けられる平座金３と、第１の装飾部１と第２の装飾部２と平座金とをかしめる軸部４と、を備える。
【００２４】
なお、第１の装飾部１および第２の装飾部２とは、接続部分を有するイヤリングＥにおける雄側と雌側のいずれかに該当するものであり、どちらか一方を雄側等と限定するものではない。すなわち後述する接続凸部１１と接続凹部２１は、第１の装飾部１と第２の装飾部２とのどちらに設けられていても良い。
【００２５】
第１の装飾部１は、第２の装飾部２と接続する接続凸部１１と、接続凸部１１における突出部１２と、軸部４が挿通する軸孔１３と、平座金３が嵌入される溝部１４と、装着者の耳Ｓに当接する耳当て部１５と、耳当て部１５に設けられる滑り止め１６と、を有する。
第１の装飾部１と第２の装飾部２とは、イヤリングＥのデザインが施される部分であり、宝石類を設ける等のデザインを施すことができる。図面においては、宝石等のデザインは表示していない。
【００２６】
接続凸部１１は、後述する第２の装飾部２に設けられる接続凹部２１と嵌め合わせて回動可能に接続する部分であり、凸型に形成され、平座金３が当接される側面１１１が設けられている。すなわち、中央に突出する突出部１２が設けられている。
【００２７】
突出部１２は、肉厚方向にくびれた形状に形成されたくびれ部１２１を有しており、軸部４が挿通する軸孔１３が設けられる。
なお、側面１１１はくびれ部１２１により凹凸が生じ、平座金３が回動に合わせて表面に露出しないように、平座金３よりも大きく形成される。
【００２８】
突出部１２にくびれ部１２１を設けることは、平座金３を含め第１の装飾部１と第２の装飾部２とを回動させて開閉する動作において、イヤリングＥが開いた状態および閉じた装着者Ｓに装着した状態において、強い力（装着状態においては挟持力）を発揮させることにつながる。すなわち、平座金３と側面１１１が当接する面積を小さくすることにより単位面積当たりの圧力を上げる効果を有する。
【００２９】
単位面積当たりの圧力向上や、イヤリングＥの開閉に伴い平座金３と側面１１１が当接する当接面の面積が変わることに加え接続凹部２１が当接する位置が変わるため、当接面積が小さくなる、または接続凹部２１の端部が平座金３と側面１１１が当接する位置となるためイヤリングＥを開いた状態と閉じた状態の時により大きな力を発揮することができ、それらの中間部分では働く力が小さくなるため滑らかな動きとなる。このように、当接面積が変化することにより、装着中の挟持力および保持力に加え回動中の滑らかな動作も同時に実現することができる。
【００３０】
したがって、突出部１２の形状は単位面積当たりの圧力を向上させる観点からくびれ部１２１に限らず、同様の効果を発揮可能な先端に向けてテーパーを設けた形状や、連続した凹凸等を設けた形状としても良い。一方で、接続凹部２１の端部が平座金３と側面１１１が当接する位置となるようにするためには、当接可能な面（平座金３と側面１１１との当接面）を複数設けることができる形状（くびれ部１２１等）が好ましい。
【００３１】
溝部１４は、後述する平座金３の突部３２が嵌め込まれるように形成されている。幅は、平座金３の厚さの１．１〜２．５倍程度に形成することが好ましく、奥行きは、後述する平座金３の突部３２の長さの１．１〜１．５倍程度に形成することが好ましい。
【００３２】
幅、奥行きともに平座金３の大きさよりも大きく形成することは、回動動作を滑らかにすることに加え、溝部１４の幅や奥行を調整することにより挟持力を調整が可能となる。すなわち、溝部１４の幅や奥行を対応する平座金３よりも大きく形成すると回動動作は滑らかになる。逆に平座金３の大きさに近い形状に形成することにより、強い挟持力を発揮させることができる。図３および図４に示すイヤリングＥは、一例として溝部１４の幅と奥行きをともに平座金３の１．１倍としたものを示しているが、当然に様々な大きさの溝部１４を形成することができる。
【００３３】
また、溝部１４は、突出部１２の両側に１つずつ、設けられ、突出部１２を中心として対称位置に設けることが好ましい。本実施形態では、平座金３が側面１１１に当接するように突出部１２の近くに設けられているが、第２の装飾部２と接続した際に、第２の装飾部２に当接するように、突出部１２から離れた位置に設けても良い。
【００３４】
図１および図２に示すように、耳当て部１５は扁平に形成され、第１の装飾部１および第２の装飾部２の断面よりも大きく形成されている。耳当て部１５を扁平で大きく形成することにより、圧力が分散して作用するため装着者の耳Ｓへの負担が減る。
また、耳当て部１５には滑り止め１６が設けられている。本実施形態では、滑り止め１６として、耳当て部１５に連続した凹凸を設けた例を示しているが、滑り止め１６は、滑り止めシートやパッド、液剤等の付属品等を用いることもできる。
【００３５】
第２の装飾部２は、接続凸部１１に嵌め込んで回動可能に接続される接続凹部２１と、軸部４が挿通する軸孔２２と、平座金３が嵌め込まれる溝部２３と、耳当て部２４と、耳当て部２４に設けられる滑り止め２５を有している。軸孔２２と溝部２３と耳当て部２４と滑り止め２５は、第１の装飾部１に設けられる軸孔１３と溝部１４と耳当て部１５と滑り止め１６と同じ構成、特徴である。
【００３６】
接続凹部２１は、接続凸部１１に嵌め込まれるため、突出部１２に対応する位置が凹み、両側が突出した凹型に形成され、突出した部分に軸孔２２が設けられている。また、両側の突出部分に平座金３が当接する側面２１１が設けられている。
なお、側面２１１は平座金３が回動に合わせて表面に露出しないように、平座金３よりも大きく形成される。
【００３７】
溝部２３は、接続状態において突出部１２の両側に１つずつ、かつ第１の装飾部１に設けられる溝部１４とずらした位置に設けられる。また、突出部１２を中心として対称位置に１つずつ設けることが好ましい。さらに好ましくは、突出部１２を境として両側、かつ溝部１４を内側、溝部２３を外側に設けることである。なお、溝部１４との位置関係により、溝部１４を外側、溝部２３を内側としたり、溝部１４と溝部２３を交互に配置したりしても良い。
【００３８】
前述のように、溝部１４を内側、溝部２３を外側に設けることにより、溝部１４に嵌入する平座金３は接続凸部１１に当接し、溝部２３に嵌入する平座金３は接続凹部２１に当接するため、接続凸部１１と溝部１４に嵌入する平座金３は同じ挙動を示し、接続凹部２１と溝部２３に嵌入する平座金３は同じ挙動を示す。そのため、平座金３同士のみで擦れ合うことにより滑らかな開閉動作や調整された適度な挟持力を長期間保持することができる。すなわち、定常的な動作が繰り返されるため当接部分の摩耗を最小限に抑え、長期間維持することができる。
【００３９】
平座金３は、図５に示すように外縁部３１の一部が突出した突部３２と、軸部４が挿通する軸孔３３を有している。突部３２は、溝部１４および／または溝部２３に嵌入され、軸孔３３を回転軸として回動する。なお、突部３２は常に溝部１４および／または溝部２３に嵌入された状態を保つ。すなわち、溝部１４、溝部２３と突部３２との間の隙間量により、平座金３の動きに遊びが生じる。
【００４０】
図６には、イヤリングＥの分解斜視図を示している。図６に示すように、平座金３は溝部１４、２３に嵌入され、軸部４により第１の装飾部１および第２の装飾部２とともにかしめられる。
【００４１】
溝部１４、２３が大きければ、平座金３の遊び動作が大きくなり、小さければ平座金３は動かず、ほとんど接続凸部１１や接続凹部２１と同様の動きをする。これらの動き、すなわち溝部１４、溝部２３の大きさや位置を調節することにより、回動の滑らかさと挟持力を調整することができる。このように、平座金３の無駄な動きや軸ずれ等を抑制することにより、平座金３や平座金３に当接している部分の摩耗を抑えることができる。
【００４２】
なお、本実施形態においては平座金３を接続凸部１１および接続凹部２１に２つずつ設けることを例として示したが、平座金３は、少なくとも側面１１１に当接した状態であれば、イヤリングＥ回動させることができるため、突出部１２を境に１つずつ有していれば良い。
【００４３】
また平座金３は、溝部１４、２３の数に合わせて設けられ、好ましい条件としては４つ設けることが挙げられる。一方で突部３２は、少なくとも側面１１１に当接する、溝部１４に嵌入される平座金３に設けられていることが好ましい。最も好ましくは、本実施形態で示した例のように溝部１４、２３が２つずつ設けられ、突部３２を有する平座金３も対応するように４つ設けられることである。
【００４４】
以上のように、本発明のイヤリングＥによれば、第１の装飾部１と第２の装飾部２との接続部分である、接続凸部１１と接続凹部２１とにそれぞれ平座金３が嵌入される溝部１４、２３が設けられていることにより、平座金３の空回りや無駄な動き、平座金が動かないこと等を抑制することができるため、常に一定の挙動を維持して回動を続けることができる。すなわち、回動の滑らかさを一定に保ち、かつ調整して得られた挟持力を長期間保持することができる。
【００４５】
また、溝部１４、２３により、接触位置が回動ごとに変化しないため、平座金３や平座金３に当接する側面１１１、２１１が摩耗しにくく、長期間同じ動作を保持することができる。
【００４６】
また、溝部１４、２３に突部３２を嵌め込む形式とすることにより、イヤリングＥを組み立てる際に通常必要となる、第１の装飾部１と第２の装飾部２と平座金３とを軸部４を挿通した後にハンマーで叩いて締めこむ作業を行うことなく、イヤリングＥの開閉に十分な圧力を持って組み立てることができる。
【００４７】
また、溝部１４、２３と平座金３との隙間量を調整することにより、回動の滑らかさと挟持力の強さを調整することができる。
【００４８】
また、接続凸部１１の突出部１２に肉厚方向にくびれたくびれ部１２１を設けることにより、回動により平座金３に当接する側面１１１の面積が変化し、さらに接続凹部２１端部の位置が変化するため、当接する面積が小さく、その当接部分に接続凹部２１端部が位置するイヤリングＥを開いた状態および閉じた装着状態において強い力が働き、その他の状態では滑らかに動く。すなわち、閉じた状態から開くまでの間、またはその逆においては滑らかな動きが実現され、特に装着状態においては強い挟持力を維持することができる。
【００４９】
また、接続凸部１１側に設けられる溝部１４を側面１１１に当接するように設け、接続凹部２１側に設けられる溝部２３を側面２１１に当接するように設けることにより、平座金３が接続凸部１１と接続凹部２１とのそれぞれのセットで動くため、平座金３同士の接触面で回動し、平座金３が独立して動くことを抑制することができる。そのため摩耗が抑制され、安定して長期間同じ動きを保持することができる。
【００５０】
また、平座金３を新円ではなく、楕円形状のように長辺と短辺を持たせることにより、平座金３が表面に露出することを防止し、さらに平座金３同士の接触面積を大きくして圧力が作用する面を大きくすることにより滑らかな動作かつ十分な挟持力を発揮させることができる。
【００５１】
また、装着者の耳Ｓに当接する耳当て部１５、２４を扁平に形成することにより、装着者Ｓへの装着における違和感を軽減することができる。
【００５２】
また、耳当て部１５，２４を第１の装飾部１や第２の装飾部２の断面よりも大きく形成することにより、装着後の脱落を抑制することができ、圧力の分散により装着者Ｓへの負担を軽減することができる。
【００５３】
また、耳当て部１５、２４に滑り止め１６、２５として連続した凹凸を設けることにより、さらに脱落の可能性を低減することができる。さらに、装着者Ｓへの負担を軽減することができるため、長時間使用しても装着者Ｓは痛みを感じにくくなる。
【符号の説明】
【００５４】
Ｅ  イヤリング
Ｓ  装着者
１  第１の装飾部
２  第２の装飾部
３  平座金
４  軸部
１１  接続凸部
１２  突出部
１３、２２、３３  軸孔
１４、２３  溝部
１５、２４  耳当て部
１６、２５  滑り止め
３２  突部
【図１】
2020188964.tif 000003
【図２】
2020188964.tif 000004
【図３】
2020188964.tif 000005
【図４】
2020188964.tif 000006
【図５】
2020188964.tif 000007
【図６】
2020188964.tif 000008
【手続補正書】
【提出日】令和1年11月1日(2019.11.1)
【手続補正１】
【補正対象書類名】特許請求の範囲
【補正対象項目名】請求項１
【補正方法】変更
【補正の内容】
【請求項１】
接続凸部を有する第１の装飾部と、
前記接続凸部に回動可能に接続される接続凹部を有する第２の装飾部と、
前記接続凸部と前記接続凹部との間に介装される複数の平座金と、
前記接続凸部と前記接続凹部とを前記平座金とともにかしめて接続可能な軸部と、を備え、
前記平座金の外縁部には突部が設けられ、
前記接続凸部と前記接続凹部とには、それぞれ前記突部が嵌入可能な溝部が設けられ、
前記複数の溝部にそれぞれ嵌め合わされた前記複数の平座金は、前記接続凸部と前記接続凹部との接続状態において、前記接続凸部の各側面と、これら各側面と対向する前記接続凹部の各側面と、の間に、少なくとも１つずつ配置され、
前記接続凸部に設けられる前記溝部に嵌め合わされた前記平座金は、前記接続凸部に当接可能に構成され、
前記接続凹部に設けられる前記溝部に嵌め合わされた前記平座金は、前記接続凹部に当接可能に構成されている、イヤリング
【手続補正書】
【提出日】令和2年2月6日(2020.2.6)
【手続補正１】
【補正対象書類名】特許請求の範囲
【補正対象項目名】請求項１
【補正方法】変更
【補正の内容】
【請求項１】
接続凸部を有する第１の装飾部と、
前記接続凸部に回動可能に接続される接続凹部を有する第２の装飾部と、
前記接続凸部と前記接続凹部との間に介装される複数の平座金と、
前記接続凸部と前記接続凹部とを前記平座金とともにかしめて接続可能な軸部と、を備え、
前記平座金の外縁部には突部が設けられ、
前記接続凸部と前記接続凹部とには、それぞれ前記突部が嵌入可能な溝部が設けられ、
前記複数の溝部にそれぞれ嵌め合わされた前記複数の平座金は、前記接続凸部と前記接続凹部との接続状態において、前記接続凸部の各側面と、これら各側面と対向する前記接続凹部の各側面と、の間に、少なくとも２つずつ配置され、
前記接続凸部に設けられる前記溝部に嵌め合わされた前記平座金は、前記接続凸部に当接可能に構成され、
前記接続凹部に設けられる前記溝部に嵌め合わされた前記平座金は、前記接続凹部に当接可能に構成されている、イヤリング。
【手続補正２】
【補正対象書類名】特許請求の範囲
【補正対象項目名】請求項３
【補正方法】変更
【補正の内容】
【請求項３】
前記突部は、少なくとも４つの前記平座金に設けられている、請求項１または請求項２に記載のイヤリング。